(57)【要約】    【課題】  遊技用メダルを洗浄すると同時に、その表面から香気を発散させる。    【解決手段】  ホッパー型メダル送り出しユニット（Ｕ）とメダル洗浄液貯溜槽（１２）とが搭載された遊技用メダル洗浄装置（Ｍ）を使用して、少なくとも約２０％の香料が配合された洗浄液（Ｗ）を、上記貯溜槽（１２）内に貯溜して、約３０℃〜約８０℃の範囲内での一定温度に保つと共に、上記メダル送り出しユニット（Ｕ）のメダル掻き出し用回転ディスクローター（２７）によりホッパー（２４）から１枚づつ掻き出したメダル（Ｃ）を、その回収口（３５）まで搬送する過程において、上記貯溜槽（１２）内の洗浄液（Ｗ）に順次浸漬させた後、脱水と乾燥を行なうことにより、その洗浄したメダル（Ｃ）に香気を帯有させる。【選択図】  図１
2005218691.tif 000002
【特許請求の範囲】
【請求項１】
ホッパー型メダル送り出しユニット（Ｕ）とメダル洗浄液貯溜槽（１２）とが搭載された遊技用メダル洗浄装置（Ｍ）を使用して、
少なくとも約２０％の香料が配合された洗浄液（Ｗ）を、上記貯溜槽（１２）内に貯溜して、約３０℃〜約８０℃の範囲内での一定温度に保つと共に、
上記メダル送り出しユニット（Ｕ）のメダル掻き出し用回転ディスクローター（２７）によりホッパー（２４）から１枚づつ掻き出したメダル（Ｃ）を、その回収口（３５）まで搬送する過程において、上記貯溜槽（１２）内の洗浄液（Ｗ）に順次浸漬させた後、脱水と乾燥を行なうことにより、その洗浄したメダル（Ｃ）に香気を帯有させることを特徴とする遊技用メダルの洗浄方法。
【発明の詳細な説明】
【技術分野】
【０００１】
本発明はパチンコ機やスロットマシンなどの遊技機に使用されるメダルの洗浄方法に関する。
【背景技術】
【０００２】
この種遊技用メダルの洗浄装置として、実開平６−８１５８７号や実開平７−３１１８１号、実用新案登録第３０３７１７８号などに見られるような湯洗式が公知である。
【０００３】
これでは１日使用すると、加熱された水の蒸発により、洗浄液の液面が低下することになる一方、メダルに付着している塵埃やそのメダルの擦り切れた金属粉などの混入異物が、洗浄液貯溜槽内の底面へ黒く濁ったヘドロとして沈着することになるため、翌日毎朝人為的に洗浄液貯溜槽の清掃作業や、洗浄液の入れ替え作業を行なう必要がある。
【特許文献１】実開平６−８１５８７号公報
【特許文献２】実開平７−３１１８１号公報
【特許文献３】実用新案登録第３０３７１７８号公報
【発明の開示】
【発明が解決しようとする課題】
【０００４】
ところが、上記作業は甚だ煩らわしく重労働であるため、往々にしてヘドロを洗浄液貯溜槽から完全に排出させることなく、新らたな水と洗浄液を追加・補給しているに過ぎない実情であり、仮令メダルの表面に付着している塵埃やその他の異物は、これを洗浄液によって除去し得るとしても、そのメダル自身やヘドロから発生する独特の悪臭までは、洗浄液によって除去することができず、近時増加しつつある女性の遊技者に嫌気されている。
【課題を解決するための手段】
【０００５】
本発明はこのような課題の改良を企図しており、そのために遊技用メダルの洗浄方法として、ホッパー型メダル送り出しユニットとメダル洗浄液貯溜槽とが搭載された遊技用メダル洗浄装置を使用して、
【０００６】
少なくとも約２０％の香料が配合された洗浄液を、上記貯溜槽内に貯溜して、約３０℃〜約８０℃の範囲内での一定温度に保つと共に、
【０００７】
上記メダル送り出しユニットのメダル掻き出し用回転ディスクローターによりホッパーから１枚づつ掻き出したメダルを、その回収口まで搬送する過程において、上記貯溜槽内の洗浄液に順次浸漬させた後、脱水と乾燥を行なうことにより、その洗浄したメダルに香気を帯有させることを特徴とするものである。
【発明の効果】
【０００８】
本発明の上記構成によれば、メダル洗浄液が少なくとも約２０％の香料を含み、約３０℃〜約８０℃の許容範囲内での一定温度に保たれており、これにメダルがホッパーから回収口まで送り出される過程において、その洗浄液へ自づと確実に浸漬されるようになっているため、これを１枚づつ美麗に洗浄できるばかりでなく、その表面から香気を発散させ得るのであり、特に女性の遊技者にとって好評となる。
【発明を実施するための最良の形態】
【０００９】
以下、図面に基いて本発明を詳述すると、図１〜７はその本発明に用いる湯洗式のメダル洗浄装置（Ｍ）を示しており、（１０）は自在車輪（１１）付きの台車であって、その台車（１０）上の約一半部（図１の右側）に洗浄液貯溜槽（１２）が据え付け固定されている。（１３）はその開口上面の開閉蓋であり、把手（１４）を備えている。（１５）は同じく洗浄液貯溜槽（１２）のドレン口であり、その開閉弁は図示省略してある。
【００１０】
上記貯溜槽（１２）の内部へ貯溜されるメダル専用の洗浄液（Ｗ）は香料入りとして、下記成分の配合比率から成る原液を約６倍に稀釈したものであり、その貯溜槽（１２）内の水：１０リットルに対する少なくとも約１００ｃｃの分量として添加使用する。
【００１１】
洗浄剤
エチレングリコール                                ５％
ポリ（オキシエチレン）＝ノニルフェニルエーテル  ３６％
カセイソーダ                                      １％
防錆剤                                              ５％
抗菌剤                                              ２％
香料                                              ２０％
精製水                                            ３１％
【００１２】
その場合、洗浄液（Ｗ）の全体に対する香料の配合比率が約２０％よりも少ないと、未だメダル（金属）に特有の嫌な臭いが残り、発明の目的を達成することができないため、これ以上の配合比率として、使用条件との相関々係から適当に選定する。
【００１３】
（１６）は上記洗浄液貯溜槽（１２）の内部へ水平状態に設置された電気ヒーターであり、これによって洗浄液（Ｗ）を約３０℃から約８０℃に至る許容範囲内での適度に加熱する。その約３０℃よりも低温である場合には、メダル（Ｃ）の洗浄効果とその後の乾燥効果を期待することができず、他方約８０℃よりも高温ではメダル（Ｃ）の過熱による取扱い者の火傷事故を招くおそれがあるほか、洗浄液（Ｗ）が早く蒸発してしまう関係上、頻繁な補給作業を要することになる。
【００１４】
何れにしても、その洗浄液（Ｗ）を加熱する目標の設定温度は、操作パネル（１７）上のキー操作によって調整することができ、これを上記洗浄液貯溜槽（１２）内へ臨む温度センサー（１８）により検知し、その検知出力信号を受けた温度調整器（図示省略）により、電気ヒーター（１６）をオン・オフ制御して、上記許容範囲内での一定温度に保てば良い。
【００１５】
（１９）は同じく洗浄液貯溜槽（１２）の内部に臨まされたレベルセンサーであり、空焚き防止用として、その洗浄液（Ｗ）の貯溜レベルが不足した場合には、その旨をランプの点滅やブザーなどによって報知する一方、上記電気ヒーター（１６）の電源を切るようになっている。
【００１６】
又、（２０）は上記洗浄液貯溜槽（１２）の内部へ垂下された攪拌羽根であり、その貯溜槽（１２）の外部から駆動モーター（２１）によって回転され、上記洗浄液（Ｗ）をその貯溜槽（１２）内での全体に万遍なく攪拌・対流させると共に、その加熱温度の全体的な均一化を図る。
【００１７】
（Ｕ）は洗浄液貯溜槽（１２）との並列状態として、上記台車（１０）上の他半部（図１の左側）に据え付け固定されたホッパー型メダル送り出しユニットであり、そのユニットフレーム（２２）の後部には前上がり傾斜基板（２３）が設置されている。
【００１８】
（２４）はその傾斜基板（２３）へ後方から取り付け固定されたメダル捕集用ホッパーであり、その上方に搭載された漏斗型のメダル収容タンク（２５）から落下するメダル（Ｃ）を受け入れる。（２６）はそのメダル収容タンク（２５）の傾斜底面に開口分布された塵埃などの異物落下孔である。
【００１９】
又、（２７）は上記傾斜基板（２３）と対応する前上がり傾斜設置状態として、メダル捕集用ホッパー（２４）の内部に臨むメダル掻き出し用回転ディスクローターであり、同じく傾斜基板（２３）へ前方から取り付け固定された駆動モーター（２８）によって、図５の矢印方向（Ｆ）へ回転駆動されることになる。
【００２０】
上記メダル掻き出し用回転ディスクローター（２７）はその円盤に開口分布する複数のメダル受け入れ孔（２９）を備えており、そのメダル受け入れ孔（２９）へ凭れ掛かる如く受け入れたメダル（Ｃ）を、図５の矢印方向（Ｆ）へ回転進行するに連れて、上記ホッパー（２４）の最下端位置からメダル送り出しレール（３０）に向かい、順次１枚づつ掻き上げ搬送する。
【００２１】
メダル送り出しレール（３０）は図６、７のような直線レール（３０ａ）と曲線レール（３０ｂ）との２種から、ビス（３１）などを介して所要長さに継ぎ足し連結されており、何れも向かい合う一対の板壁（３２）とその上下両端部を閉塞する一対のスペーサー（３３）とから、メダル（Ｃ）の大きさと対応する扁平なトンネル型に枠組み一体化されていると共に、その両板壁（３２）にはメダル（Ｃ）の直径よりも狭小な開口幅の洗浄液流通孔（３４）が打ち抜かれている。
【００２２】
しかも、メダル送り出しレール（３０）は図１、５のように、上記ホッパー型メダル送り出しユニット（Ｕ）からメダル収容タンク（２５）の前面に沿って、一旦下方へ滑らかに屈曲することにより、その中途部が上記メダル洗浄液貯溜槽（１２）の内部へ導通配管され、引き続き上方へ滑らかに屈曲反転する全体的な正面視のほぼ横向きＳ字型として、上記メダル収容タンク（２５）の上端部付近に開口するメダル回収口（３５）まで到達している。
【００２３】
上記ホッパー型メダル送り出しユニット（Ｕ）のメダル掻き出し回転ディスクローター（２７）により、そのホッパー（２４）からメダル送り出しレール（３０）を通じて送り出される過程のメダル（Ｃ）が、上記洗浄液貯溜槽（１２）内の洗浄液（Ｗ）に自づと浸漬され、その表面に付着する塵埃やその他の異物が除去されるほか、そのメダル（Ｃ）から洗浄液（Ｗ）の香料による香気を発散するようになっているのである。
【００２４】
更に、（３６）は上記メダル送り出しレール（３０）における洗浄液貯溜槽（１２）からの出口位置付近に被着一体化されたメダル脱水器であって、スポンジなどの吸水性弾褥材から成り、上記送り出し過程のメダル（Ｃ）と弾力的に接触して、その表面の水分を吸い取り除去する。
【００２５】
（３７）はその脱水器（３６）の設置個所から上記メダル回収口（３５）までの中途部に介在するメダル乾燥ボックスであって、熱風ブロワーや電熱コイルなどを内蔵しており、脱水後のメダル（Ｃ）を乾燥する。（３８）は上記メダル回収口（３５）から落下するメダル（Ｃ）の回収ボックスであり、洗浄済みのメダル（Ｃ）を捕集することになる。
【００２６】
本発明に係る遊技用メダル（Ｃ）の洗浄方法では、上記構成の湯洗式メダル洗浄装置（Ｍ）を用いて、そのホッパー型メダル送り出しユニット（Ｕ）のホッパー（２４）から回転ディスクローター（２７）により順次１枚づつ掻き出されたメダル（Ｃ）を、そのメダル送り出しレール（３０）のメダル回収口（３５）まで搬送する過程において、少なくとも約２０％の香料が配合され、しかも約３０℃〜約８０℃内での一定温度に加熱された洗浄液（Ｗ）へ、一旦浸漬させた後、脱水と乾燥を行なうようになっているため、上記メダル（Ｃ）を洗浄し得ることは勿論、そのメダル（Ｃ）の表面へ洗浄液（Ｗ）の香料による香気を帯有させることができ、金属特有の悪臭が残ることはない。
【００２７】
その場合、メダル（Ｃ）は上記送り出しレール（３０）に沿って順次１枚づつ整然と搬送され、その送り出しレール（３０）に開口分布する洗浄液流通孔（３４）を介して、洗浄液（Ｗ）へ確実に浸漬されるため、その洗浄液（Ｗ）の香料がメダル（Ｃ）の表面へ安定良く帯有されることとなり、実験の結果ではその香気がメダル（Ｃ）から２日間程度持続して発散する。
【００２８】
但し、先にはメダル送り出しレール（３０）の中途部を言わばそのままの静止形態として、洗浄液貯溜槽（１２）の内部へ導通配管しているが、ホッパー型コイン送り出しユニット（Ｕ）のメダル掻き出し用回転ディスクローター（２７）によって、そのホッパー（２４）から順次１枚づつ掻き出されたメダル（Ｃ）を、その回収口（３５）まで搬送する過程において、上記香料入りの洗浄液（Ｗ）へ浸漬させることができる限りでは、図５と対応する図８の変形実施形態に例示するメダル洗浄装置（Ｍ）から明白なように、メダル送り出しレール（３０）の中途部をメダル送り出し爪（３９）が外向きに突出する回転円盤（４０）と、その外周面を包囲する凹溝（４１）とから成るリング形態として、洗浄液貯溜槽（１２）の内部へ浸漬状態に配設し、その回転円盤（４０）を図外の駆動モーターにより回転させて、上記メダル（Ｃ）をやはり１枚づつ順次送り出すように設定しても良い。その他の構成は図１〜７の上記基本実施形態と実質的に同一であるため、その図８に図１〜７との対応符号を記入するにとどめて、その詳細な説明を省略する。
【図面の簡単な説明】
【００２９】
【図１】本発明に用いるメダル洗浄装置の正面図である。
【図２】図１の平面図である。
【図３】図１の左側面図である。
【図４】図１の右側面図である。
【図５】図２の２−２線に沿う拡大断面図である。
【図６】メダル送り出しレールを抽出して示す正面図である。
【図７】図６の７−７線に沿う拡大断面図である。
【図８】本発明の変形実施形態を示す図５に対応する断面図である。
【符号の説明】
【００３０】
（１２）・洗浄液貯溜槽
（１６）・電気ヒーター
（１８）・温度センサー
（１９）・レベルセンサー
（２０）・攪拌羽根
（２１）・駆動モーター
（２２）・ユニットフレーム
（２３）・傾斜基板
（２４）・メダル捕集用ホッパー
（２５）・メダル収容タンク
（２７）・回転ディスクローター
（２８）・駆動モーター
（２９）・メダル受け入れ孔
（３０）・メダル送り出しレール
（３０ａ）・直線レール
（３０ｂ）・曲線レール
（３２）・板壁
（３３）・スペーサー
（３４）・洗浄液流通孔
（３５）・メダル回収口
（３６）・メダル脱水器
（３７）・メダル乾燥ボックス
（３８）・メダル回収ボックス
（３９）・メダル送り出し爪
（４０）・回転円盤
（４１）・包囲凹溝
（Ｃ）・メダル
（Ｍ）・メダル洗浄装置
（Ｕ）・ホッパー型メダル送り出しユニット
（Ｗ）・洗浄液
【図１】
2005218691.tif 000003
【図２】
2005218691.tif 000004
【図３】
2005218691.tif 000005
【図４】
2005218691.tif 000006
【図５】
2005218691.tif 000007
【図６】
2005218691.tif 000008
【図７】
2005218691.tif 000009
【図８】
2005218691.tif 000010